(57)【要約】【課題】簡単な構成で確実にビン型の容器を保持するための容器保持具を提供する。【解決手段】ビン型の容器を保持するための容器保持具２であって、布テープにより形成され前記容器の口部を挿入し前記容器の肩部を係止するための開口を有する係止部１０と、前記係止部に連続して設けられ布テープにより形成された前記容器の外壁に縦方向に巻き付けることにより前記容器を保持する容器保持部１２と、前記容器保持部に連続して設けられ布テープにより形成された肩にかけるための開口を有する肩掛け部１４とを備える。【選択図】  図１
0003115128.tif 000002
【実用新案登録請求の範囲】
【請求項１】
ビン型の容器を保持するための容器保持具であって、
布テープにより形成され前記容器の口部を挿入し前記容器の肩部を係止するための開口を有する係止部と、
前記係止部に連続して設けられ前記布テープにより形成された前記容器の外壁に縦方向に巻き付けることにより前記容器を保持する容器保持部と、
前記容器保持部に連続して設けられ前記布テープにより形成された肩にかけるための開口を有する肩掛け部と
を備えることを特徴とする容器保持具。
【請求項２】
前記係止部は、略半分に折りたたんだ前記布テープの一方の端部に形成された折りたたみ部の近傍を第1の止具により止めることにより形成され、前記肩掛け部は、他方の端部の近傍を第２の止具により止めることにより形成されることを特徴とする請求項１記載の容器保持具。
【請求項３】
前記容器保持部を構成する前記布テープの前記容器に接する面に滑り止め部材を備えることを特徴とする請求項１または請求項２記載の容器保持具。
【請求項４】
前記係止部及び前記容器保持部の何れか一方に前記容器保持部の長さを規定し、前記容器保持部を前記係止部に固定するためのクリップを備えることを特徴とする請求項１乃至請求項３の何れか一項に記載の容器保持具。
【考案の詳細な説明】
【技術分野】
【０００１】
この考案は、ビン型の容器を保持するための容器保持具に関するものである。
【背景技術】
【０００２】
従来、医療機関内における院内感染が問題となっており、院内感染に対する様々な防止策が講じられているが、手指の消毒機会を増加させるために、容器に収容された消毒剤を携帯することが行なわれている。
【０００３】
ところでビン型の容器を保持するための容器保持具としては、特許文献１に掲載されているような容器保持具が存在する。
【０００４】
【特許文献１】特開平１０−１０１０８６号公報
【考案の開示】
【考案が解決しようとする課題】
【０００５】
しかしながら、上述の容器保持具は、構成が複雑で製造コストが高くなっていた。
【０００６】
この考案の課題は、簡単な構成で確実にビン型の容器を保持するための容器保持具を提供することである。
【課題を解決するための手段】
【０００７】
請求項１記載の容器保持具は、ビン型の容器を保持するための容器保持具であって、布テープにより形成され前記容器の口部を挿入し前記容器の肩部を係止するための開口を有する係止部と、前記係止部に連続して設けられ布テープにより形成された前記容器の外壁に縦方向に巻き付けることにより前記容器を保持する容器保持部と、前記容器保持部に連続して設けられ布テープにより形成された肩にかけるための開口を有する肩掛け部とを備えることを特徴とする。
【０００８】
また、請求項２記載の容器保持具は、前記係止部が略半分に折りたたんだ前記布テープの一方の端部に形成された折りたたみ部の近傍を第1の止具により止めることにより形成され、前記肩掛け部が他方の端部の近傍を第２の止具により止めることにより形成されることを特徴とする。
【０００９】
また、請求項３記載の容器保持具は、前記容器保持部を構成する前記布テープの前記容器に接する面に滑り止め部材を備えることを特徴とする。
【００１０】
また、請求項４記載の容器保持具は、前記係止部及び前記容器保持部の何れか一方に前記容器保持部の長さを規定し、前記容器保持部を前記係止部に固定するためのクリップを備えることを特徴とする。
【００１１】
これら請求項１〜請求項４記載の容器保持具によれば、構成が簡単で製造コストを低減することができる。また、容器の口部を挿入し容器の肩部を係止するための開口を有する係止部と、容器の外壁に縦方向に巻き付けることにより容器を保持する容器保持部とを備えているため、確実にビン型の容器を保持することができる。
【００１２】
また、第１の止具の位置を調整することにより係止部の開口部の大きさ変えることができ、容器保持部の長さは容器の大きさに応じて変更されるため、多様なサイズのビン型の容器を確実に保持することができる。
【００１３】
また、容器保持部を構成する布テープの容器に接する面に滑り止め部材を備え、かつ係止部及び容器保持部の何れか一方に容器保持部の長さを規定し、容器保持部を係止部に固定するためのクリップを備えるため、更に確実にビン型の容器を保持することができる。
【考案の効果】
【００１４】
この考案の容器保持具によれば、構成が簡単で製造コストを低減することができる。また、確実に多様なサイズのビン型の容器を保持することができる。
【考案を実施するための最良の形態】
【００１５】
以下、図面を参照して、この考案の実施の形態に係る容器保持具について説明を行なう。図１は、実施の形態に係る容器保持具の平面図であり、図２は、実施の形態に係る容器保持具の裏面図である。図１及び図２においては、容器保持具が所定の長さを有するものであるため、容器保持具の中央部分の図示を省略している。
【００１６】
容器保持具２は、ビン型の容器を保持するための容器保持具である。この容器保持具２は、ビン型の容器の口部を挿入しビン型の容器の肩部を係止するための開口を有する係止部１０と、係止部１０に連続して設けられビン型の容器の外壁に縦方向に巻き付けることによりビン型の容器を保持する容器保持部１２と、容器保持部１２に連続して設けられ肩にかけるための開口を有する肩掛け部１４とを備えている。
【００１７】
この容器保持具２においては、略半分に折りたたんだ布テープの一方の端部に形成された折りたたみ部の近傍を第1の止具１６により止めることにより、ビン型の容器の口部を挿入しビン型の容器の肩部を係止するための開口を有する係止部１０が形成されている。また、略半分に折りたたんだ布テープの折りたたみ部の反対側の端部の近傍を第２の止具１８により止めることにより肩掛け部１４が形成されている。
【００１８】
また、容器保持具２の容器保持部の容器に接する面に滑り止め部材２０が備えられている。更に、容器保持部１２には、容器保持部の長さを規定し、容器保持部を係止部に固定するためのクリップ２２が備えられている。なお、クリップ２２は、係止部１０に備えられていてもよい。
【００１９】
図３及び図４は、この実施の形態に係る容器保持具２においてビン型の容器を保持した状態を説明するための図である。容器保持具２においてビン型の容器を保持する場合には、まず、ビン型の容器の口部を係止部１０の開口に挿入し、係止部１０でビン型の容器の肩部を係止する。そして、容器保持部１２に設けられている滑り止め部材２０が容器の外壁に接するように、容器保持部１２をビン型の容器の外壁に縦方向に巻き付ける。そして、容器保持具２の肩掛け部１４側を係止部１０の開口に通して、容器保持具２によりビン型の容器を保持する。
【００２０】
そして、第1の止具１６をずらすことによって、ビン型の容器の口部の大きさに応じて開口の大きさを調節して、係止部１０でビン型の容器の肩部を確実に係止する。また、容器保持部１２をクリップ２２により係止部１０に固定し、容器保持部１２により確実にビン型の容器を保持する。このようにして、容器保持具２により保持されたビン型の容器は、肩掛け部１４を肩に掛けることにより常時容易に携帯することができる。
【００２１】
この実施の形態に係る容器保持具によれば、構成が簡単で製造コストを低減することができる。また、確実にビン型の容器を保持することができる。
【００２２】
また、第１の止具の位置を調整することにより係止部の開口部の大きさ変えることができ、容器保持部の長さは容器の大きさに応じて変更されるため、多様なサイズのビン型容器を確実に保持することができる。
【００２３】
また、容器保持部を構成する布テープの容器に接する面に滑り止め部材を備え、かつ係止部及び容器保持部の何れか一方に容器保持部の長さを規定し、容器保持部を係止部に固定するためのクリップを備えるため、更に確実にビン型の容器を保持することができる。
【図面の簡単な説明】
【００２４】
【図１】実施の形態に係る容器保持具の平面図である。
【図２】実施の形態に係る容器保持具の裏面図である。
【図３】実施の形態に係る容器保持具によりビン型の容器を保持した状態を説明するための図である。
【図４】実施の形態に係る容器保持具によりビン型の容器を保持した状態を説明するための図である。
【符号の説明】
【００２５】
２…容器保持具、１０…係止部、１２…容器保持部、１４…肩掛け部、１６…第１の止め具、１８…第２の止め具、２０…滑り止め部材、２２…クリップ
【図１】
0003115128.tif 000003
【図２】
0003115128.tif 000004
【図３】
0003115128.tif 000005
【図４】
0003115128.tif 000006